(57)【要約】      （修正有）【課題】下顎の顎位を適正な位置に矯正することができ、ひいては使用者の身体の状態を改善することが可能な顎位矯正器具を提供する。【解決手段】顎位矯正器具は、下顎の歯列に配置される係合部材１０と、係合部材１０が設けられ、かつ下顎の歯列に固定される固定部材２０とを備える。係合部材１０は、下顎の一方側の第４番歯Ｔ４ｂの上方に配置された第１の突出部１１と、下顎の他方側の第４番歯Ｔ４ｂの上方に配置された第２の突出部１２とからなる。上顎の歯列と下顎の歯列が咬合される際に、第１の突出部１１が、上顎の第４番歯の下面と係合するとともに、第２の突出部１２が、上顎の第４番歯の下面と係合することにより、下顎の両側の第４番歯Ｔ４ｂ，Ｔ４ｂを上顎の第４番歯における前後方向の同一位置に誘導する。【選択図】図１
0003200643.tif 000002
【実用新案登録請求の範囲】
【請求項１】
下顎の歯列に配置される係合部材と、該係合部材が設けられ、かつ下顎の歯列に固定される固定部材とを備えた顎位矯正器具であって、
前記係合部材は、下顎の一方側の小臼歯の上方に配置された第１の突出部と、下顎の他方側の小臼歯の上方に配置された第２の突出部とからなり、
上顎の歯列と下顎の歯列が咬合される際に、前記第１の突出部が、対応する上顎の小臼歯の下面と係合するとともに、前記第２の突出部が、対応する上顎の小臼歯の下面と係合することにより、下顎の両側の小臼歯を対応する上顎の小臼歯における前後方向の同一位置に誘導することを特徴とする顎位矯正器具。
【請求項２】
前記第１の突出部および／または第２の突出部は、下顎の小臼歯の第４番歯の上方に配置されている請求項１に記載の顎位矯正器具。
【請求項３】
前記係合部材は、下顎の一方側の大臼歯の上方に配置された第３の突出部をさらに備え、上顎の歯列と下顎の歯列が咬合される際に、前記第３の突出部が、対応する上顎の大臼歯の下面と係合する請求項１又は請求項２に記載の顎位矯正器具。
【請求項４】
前記第３の突出部は、下顎の大臼歯の第７番歯の上方に配置されている請求項３に記載の顎位矯正器具。
【請求項５】
前記第１の突出部は、上面が前記第２の突出部および前記第３の突出部の上面より高い位置に配置される請求項３または請求項４に記載の顎位矯正器具。
【請求項６】
前記固定部材は、下顎の歯列を覆う態様のマウスピースからなる請求項１から請求項５のいずれかに記載の顎位矯正器具。
【考案の詳細な説明】
【技術分野】
【０００１】
本考案は、下顎の顎位を適正な位置に矯正する顎位矯正器具に関するものである。
【背景技術】
【０００２】
現代人は、従来に比べ柔らかいものを食するようになり、咀嚼の回数・頻度が大きく減少したため、咀嚼の際に動作する下顎が発達することなくむしろ退化する傾向にある。このため、現代人は、下顎が切端咬合より後退する傾向にあり、咬合の際に下顎の歯列が上顎の歯列より後方に位置する状態の者が多い。このような場合、日常生活に支障がない普通咬合であったとしても、その状態が継続すると身体の姿勢やバランスが悪くなって、肩凝り・腰痛・ひざ痛・鼻づまり・目まい等を招く場合があった。
【０００３】
そこで、従来より、特許文献１に示すように、上顎及び下顎の少なくとも一方に取り付けられるプレートと、前記上顎の左側の歯及び前記下顎の左側の歯の間に挟まれる左側弾性部材と、前記上顎の右側の歯及び前記下顎の右側の歯の間に挟まれる右側弾性部材とを備え、前記プレートは、前記左側弾性部材及び前記右側弾性部材より前方で前記下顎の前歯に接触する前歯接触部を有し、前記前歯接触部は、前記下顎の前記前歯に接触している状態で前側ほど上側になるように傾斜していることを特徴とする顎位矯正装置が知られていた。
【０００４】
これによれば、上顎及び下顎が閉じられてプレートの前歯接触部に下顎の前歯が接触すると、前歯接触部の傾斜によって下顎の顎位を矯正することができる。
【先行技術文献】
【特許文献】
【０００５】
【特許文献１】特開２００８−１８３１２６号
【考案の概要】
【考案が解決しようとする課題】
【０００６】
しかしながら、特許文献１の顎位矯正装置は、前歯付近において下顎の顎位を矯正するため、矯正力が下顎全体に伝達されない虞があり、下顎の顎位を適正な位置に矯正しにくい場合があった。
【０００７】
本考案は、上述の問題に鑑みてなされたものであり、下顎の顎位を適正な位置に矯正することができ、ひいては使用者の身体の状態を改善することが可能な顎位矯正器具を提供することを目的とする。
【課題を解決するための手段】
【０００８】
本考案は、上記目的を達成するために、下顎の歯列に配置される係合部材と、該係合部材が設けられ、かつ下顎の歯列に固定される固定部材とを備えた顎位矯正器具であって、前記係合部材は、下顎の一方側の小臼歯の上方に配置された第１の突出部と、下顎の他方側の小臼歯の上方に配置された第２の突出部とからなる。上顎の歯列と下顎の歯列が咬合される際に、前記第１の突出部が、対応する上顎の小臼歯の下面と係合するとともに、前記第２の突出部が、対応する上顎の小臼歯の下面と係合することにより、下顎の両側の小臼歯を対応する上顎の小臼歯における前後方向の同一位置に誘導する。なお、「一方側」とは使用者にとっての身体の右側又は左側をいい、「他方側」とは使用者にとっての身体の左側又は右側をいい、「小臼歯」とは、第４番歯又は第５番歯のことをいう。また、「対応する上顎の歯」とは、突出部が設けられた下顎の歯と同一側かつ同一番目の上顎の歯をいい、例えば、下顎の一方側の第４番歯に第１の突出部が設けられた場合において、「対応する上顎の小臼歯」とは、上顎の一方側の第４番歯をいう。
【０００９】
これによれば、上顎の歯列と下顎の歯列が咬合される際に、第１の突出部が、対応する上顎の小臼歯の下面と係合するとともに、第２の突出部が、対応する上顎の小臼歯の下面と係合することにより、下顎の両側の小臼歯を対応する上顎の小臼歯における前後方向の同一位置に誘導するため、矯正力が下顎全体に効果的に伝達され、下顎の顎位を適正な位置に矯正することができる。また、継続して使用することにより、適正な位置での咀嚼訓練を行うことができる。さらに、下顎の顎位を適正な位置に矯正すると口腔内の容積が増加するため、鼻が通り易くなり口呼吸を鼻呼吸に導くことができる。
【００１０】
また、第１の突出部および／または第２の突出部は、下顎の小臼歯の第４番歯の上方に配置されているのが好ましい。これによれば、下顎の顎位をより効果的に適正な位置に矯正することができる。
【００１１】
また、係合部材は、下顎の一方側の大臼歯の上方に配置された第３の突出部をさらに備え、上顎の歯列と下顎の歯列が咬合される際に、第３の突出部が、上顎の一方側の大臼歯の下面と係合するのが好ましい。なお、「大臼歯」とは、第６番歯から第８番歯までのいずれかの歯のことをいう。これによれば、下顎の歯列が、第１の突出部、第２の突出部および第３の突出部の３点で上顎の歯列と係合するため、下顎の顎位をより安定的に適正な位置に矯正することができる。なお、下顎が切端咬合より後方に後退している普通咬合の場合、第３の突出部は下顎の右側の大臼歯の上方に配置されるのが好ましい。また、下顎が切端咬合より前方に出ている反対咬合の場合、第３の突出部は下顎の左側の大臼歯の上方に配置されるのが好ましい。
【００１２】
また、第３の突出部および／または第４の突出部は、下顎の大臼歯の第７番歯の上方に配置されているのが好ましい。これによれば、下顎の顎位をより一層効果的に適正な位置に矯正することができる。
【００１３】
また、第１の突出部は、上面が第２の突出部および第３の突出部の上面より高い位置に配置されるのが好ましい。これによれば、下顎の顎位をさらに効果的に適正な位置に矯正することができる。
【００１４】
また、固定部材は、下顎の歯列を覆う態様のマウスピースからなるのが好ましい。これによれば、固定部材も使用者の口腔底に接触しないため、使用者は顎位矯正器具を装着した状態でも違和感や不快感を覚えることなく、また快適に食事をすることができる。
【考案の効果】
【００１５】
本考案によれば、上顎の歯列と下顎の歯列が咬合される際に、第１の突出部が、対応する上顎の小臼歯の下面と係合するとともに、第２の突出部が、対応する上顎の小臼歯の下面と係合することにより、下顎の両側の小臼歯を対応する上顎の小臼歯における前後方向の同一位置に誘導するため、矯正力が下顎全体に効果的に伝達され、下顎の顎位を効果的に適正な位置に矯正することができる。また、継続して使用することにより、適正な位置での咀嚼訓練を行うことができる。さらに、下顎の顎位を適正な位置に矯正すると口腔内の容積が増加するため、鼻が通り易くなり口呼吸を鼻呼吸に導くことができる。
【００１６】
また、係合部材が使用者の口腔底に全く接触しないため、使用者は顎位矯正器具を装着した状態でも違和感や不快感を覚えることなく、また快適に食事をすることができる。
【００１７】
また、係合部材が下顎の前後方向の中央部に配置されるため、第三者に係合部材が視認されることを防止することができる。
【００１８】
よって、使用者の身体のバランスが取り易くなって身体の緊張が解けるとともに身体の姿勢が改善され、延いては肩凝り・首筋の凝り・腰痛・ひざ痛・頭痛・鼻づまり・目まい等の症状を改善することが可能となる。
【図面の簡単な説明】
【００１９】
【図１】第１の実施形態に係る顎位矯正器具の装着状態を示す平面図である。
【図２】図１の顎位矯正器具の断面図である。
【考案を実施するための形態】
【００２０】
次に、本考案に係る顎位矯正器具について図１〜図２を参照しつつ説明する。  
【００２１】
顎位矯正器具１は、図１に示すように、下顎が切端咬合より後方に後退している普通咬合の場合に用いられる顎位矯正器具であって、下顎の歯列に配置される係合部材１０と、該係合部材１０が設けられ、かつ下顎の歯列に固定される固定部材２０とを備えている。なお、本明細書において、「前」とは口内からの口唇側の方向、「後」とは口内からの咽喉側の方向を表し、第Ｎ番歯とは第１番歯Ｔ１ａ、Ｔ１ｂから後側に向かって数えたＮ番目の歯のことを表す。また、「小臼歯」とは、第４番歯又は第５番歯をいい、「大臼歯」とは、第６番歯から第８番歯までのいずれかの歯をいうものとする。
【００２２】
前記係合部材１０は、図１に示すように、下顎の右側の第４番歯Ｔ４ｂの上方に配置された第１の突出部１１と、下顎の左側の第４番歯Ｔ４ｂの上方に配置された第２の突出部１２からなる。この第１の突出部１１および第２の突出部１２は、下顎の第４番歯Ｔ４ｂの上方の全面に亘って設けられてもよいし、下顎の第４番歯Ｔ４ｂの上方の一部に亘って設けられてもよい。なお、第１の突出部１１は、上面が第２の突出部１２の上面より０．１ｍｍ高い位置、かつ第３の突出部１２の上面より０．３ｍｍ高い位置に配置されている。
【００２３】
また、前記第１の突出部１１は、上顎の右側の第４番歯Ｔ４ａの下面に沿う形状に形成されている。このため、第１の突出部１１は、上顎の歯列と下顎の歯列が咬合される際に、上顎の右側の第４番歯Ｔ４ａの下面と係合する。
【００２４】
同様に、前記第２の突出部１２は、上顎の左側の第４番歯Ｔ４ａの下面に沿う形状に形成されている。このため、第２の突出部１２は、上顎の歯列と下顎の歯列が咬合される際に、上顎の左側の第４番歯Ｔ４ａの下面と係合する。
【００２５】
また、本実施形態では、係合部材１０は、下顎の右側の第７番歯Ｔ７ｂの上方に配置された第３の突出部１３をさらに備えている。この第３の突出部１３は、上顎の歯列と下顎の歯列が咬合される際に、上顎の右側の第７番歯Ｔ７ａの下面と係合する。このため、下顎の歯列は、第１の突出部、第２の突出部および第３の突出部の３点で上顎の歯列と係合する。
【００２６】
また、前記第１の突出部１１、第２の突出部１２および第３の突出部１３は、それぞれ下顎の右側の第４番歯Ｔ４ｂの上方、下顎の左側の第４番歯Ｔ４ｂの上方、下顎の右側の第７番歯Ｔ７ｂの上方に配置されているため、係合部材１０は、使用者の口腔底に全く接触しない。
【００２７】
また、前記第１の突出部１１、第２の突出部１２および第３の突出部１３は、歯冠材料に用いられる合成樹脂よりなるものであり、例えば常温重合レジンよりなる。常温重合レジンは、２剤混合型の合成樹脂であり、ポリメチルメタクリレート等を含有する粉体材料と、メタクリル酸メチル等を含有する液体材料とを混合させて硬化させることにより形成されるものであるため、係合部材１０を上顎の第４番歯Ｔ４ａ、下顎の第４番歯Ｔ４ｂ、上顎の第７番歯Ｔ７ａ、下顎の第７番歯Ｔ７ｂの形状に応じて簡単に成形することができる。また、第１の突出部１１、第２の突出部１２および第３の突出部１３は、表面部を随時付加又は削除することにより、その形状を調整することができる。
【００２８】
前記固定部材２０は、下顎の歯列を全体に亘って覆う態様のマウスピースからなり、第１の突出部１１が下顎の右側の第４番歯Ｔ４ａを覆う部分に設けられ、第２の突出部１２が左側の第４番歯Ｔ４ａを覆う部分に設けられ、第３の突出部１３が右側の第７番歯Ｔ７ａを覆う部分に設けられている。このため、固定部材２０は使用者の口腔底に全く接触しない。
【００２９】
また、前記固定部材２０は、透明な合成樹脂で形成されている。このため、固定部材２０が第三者に視認されることを防止することができる。また、適正な位置での咀嚼訓練のため顎位矯正器具１を継続して使用した場合であっても、固定部材２０が破損する虞がない。
【００３０】
次に、顎位矯正器具の使用方法について、図２を参照して説明する。
【００３１】
まず、歯科医または使用者が、固定部材２０を下顎の歯列の第１番歯Ｔ１ｂ〜第７番歯Ｔ７ｂに外嵌することにより、係合部材１０の第１の突出部１１が下顎の右側の第４番歯Ｔ４ｂの上方に配置され、第２の突出部１２が下顎の左側の第４番歯Ｔ４ｂの上方に配置され、第３の突出部１３が下顎の右側の第７番歯Ｔ７ｂの上方に配置される。
【００３２】
そして、図２（ａ）に示すように、上顎の歯列と下顎の歯列が咬合されていない状態から、上顎と下顎が次第に近接し、第１の突出部１１が上顎の右側の第４番歯Ｔ４ａの下面に接触するとともに、第２の突出部１２が上顎の左側の第４番歯Ｔ４ａの下面に接触し、第３の突出部１３が上顎の右側の第７番歯Ｔ７ａの下面に接触する。
【００３３】
そして、図２（ｂ）に示すように、上顎の歯列と下顎の歯列が咬合された状態において、第１の突出部１１が上顎の右側の第４番歯Ｔ４ａの下面上を前方向に移動して該下面と係合するとともに、第２の突出部１２が上顎の左側の第４番歯Ｔ４ａの下面上を前方向に移動して該下面と係合し、第３の突出部１３が上顎の右側の第７番歯Ｔ７ａの下面上を前方向に移動して該下面と係合する。
【００３４】
上記考案によれば、上顎の歯列と下顎の歯列が咬合される際に、前記第１の突出部１１が、上顎の右側の第４番歯Ｔ４ａの下面と係合するとともに、前記第２の突出部１２が、上顎の左側の第４番歯Ｔ４ａの下面と係合することにより、下顎の両側の第４番歯Ｔ４ｂを上顎の第４番歯Ｔ４ａにおける前後方向の同一位置に誘導するため、矯正力が下顎全体に効果的に伝達され、下顎の顎位を効果的に適正な位置に矯正することができる。また、継続して使用することにより、適正な位置での咀嚼訓練を行うことができる。さらに、下顎の顎位を適正な位置に矯正すると口腔内の容積が増加するため、鼻が通り易くなり口呼吸を鼻呼吸に導くことができる。なお、この顎位矯正器具１は、使用者が当該器具を装着しない場合であっても、下顎の顎位を適正な位置に保った状態で咬合することができるようになるまで継続して使用される。
【００３５】
また、下顎の歯列が、前記第１の突出部１１、第２の突出部１２および第３の突出部１３の３点で上顎の歯列と係合するため、下顎の顎位をより安定的に適正な位置に矯正することができる。
【００３６】
さらに、前記第３の突出部１３は、下顎の大臼歯の第７番歯の上方に配置されているため、下顎の顎位をより一層効果的に適正な位置に矯正することができる。
【００３７】
さらにまた、前記第１の突出部１１は、上面が前記第２の突出部１２および第３の突出部の上面より高い位置に配置されるため、下顎の顎位をさらに効果的に適正な位置に矯正することができる。
【００３８】
また、前記係合部材１０および前記固定部材２０が使用者の口腔底に全く接触しないため、使用者は顎位矯正器具１を装着した状態でも違和感や不快感を覚えることなく、また快適に食事をすることができる。
【００３９】
また、前記係合部材１０が下顎の前後方向の中央部に配置されるため、第三者に係合部材１０が視認されることを防止することができる。
【００４０】
よって、使用者の身体のバランスが取り易くなって身体の緊張が解けるとともに身体の姿勢が改善され、延いては肩凝り・首筋の凝り・腰痛・ひざ痛・頭痛・鼻づまり等の症状を改善することが可能となる。
【００４１】
なお、上記実施形態において、前記第１の突出部１１および前記第２の突出部１２は、下顎の第４番歯Ｔ４ｂの上方に配置される場合について説明したが、下顎の第５番歯Ｔ５ｂの上方に配置されてもよい。
【００４２】
また、前記第３の突出部１３および前記第４の突出部１４は、下顎の第７番歯Ｔ７ｂの上方に配置される場合について説明したが、下顎の第６番歯Ｔ６ｂの上方、又は下顎の第８番歯Ｔ８ｂの上方に配置されてもよい。
【００４３】
また、前記固定部材２０は、下顎の歯列を全体に亘って覆う態様のマウスピースからなり場合について説明したが、下顎の歯列に固定される金属片からなるものであってもよい。
【００４４】
また、下顎が切端咬合より後方に後退している普通咬合の場合について説明したが、下顎が切端咬合より前方に出ている反対咬合の場合に本器具を使用してもよい。この場合、第１の突出部１１は下顎の左側の第４番歯Ｔ４ｂ、第２の突出部１２は下顎の右側の第４番歯Ｔ４ｂ、第３の突出部１３は下顎の左側の第７番歯Ｔ７ｂの上方にそれぞれ配置される。
【００４５】
以上、図面を参照して本考案の実施形態を説明したが、本考案は、図示した実施形態のものに限定されない。図示された実施形態に対して、本考案と同一の範囲内において、あるいは均等の範囲内において、種々の修正や変形を加えることが可能である。
【符号の説明】
【００４６】
１…顎位矯正器具
１０…係合部材
１１…第１の突出部
１２…第２の突出部
１３…第３の突出部
２０…固定部材
Ｔ４ａ…上顎の第４番歯
Ｔ７ａ…上顎の第７番歯
Ｔ４ｂ…下顎の第４番歯
Ｔ５ｂ…下顎の第５番歯
Ｔ６ｂ…下顎の第６番歯
Ｔ７ｂ…下顎の第７番歯
Ｔ８ｂ…下顎の第８番歯
【図１】
0003200643.tif 000003
【図２】
0003200643.tif 000004